(57)【要約】【課題】  速やかに設置及び撤去することができると共に、余分な設置スペースを必要としない折畳み式作業台を提供する。【解決手段】  本発明に係る折畳み式作業台は、２つ以上に折畳み可能な天板２と、該天板２の両端部に設けられて伸縮可能な支脚３と、前記天板２及び前記支脚３を連結する筋交い４とを備える折畳み式作業台であって、前記支脚３は、最も収縮した際の長さが前記天板２が折り畳まれた際の長さより短くなると共に、前記天板２に沿うように折り畳まれることを特徴とする。【選択図】  図１
2010222847.tif 000002
【特許請求の範囲】
【請求項１】
２つ以上に折畳み可能な天板と、該天板の両端部に設けられて伸縮可能な支脚と、前記天板及び前記支脚を連結する筋交いとを備える折畳み式作業台であって、前記支脚は、最も収縮した際の長さが前記天板が折り畳まれた際の長さより短くなると共に、前記天板に沿うように折り畳まれることを特徴とする折畳み式作業台。
【請求項２】
前記支脚は、両側一対の側枠部材と、該両側枠部材の上部間に横架される横架部材とで門型に形成されて、上下複数段に配置される門型ユニット同士を入れ子式に嵌合することによって構成されることを特徴とする請求項１に記載の折畳み式作業台。
【発明の詳細な説明】
【技術分野】
【０００１】
本発明は、ビルの建築や改修工事等で使用される足場や物置台の内、支脚の長さが適宜調節可能な折畳み式作業台に関するものである。
【背景技術】
【０００２】
従来より、ビルの建築や改修工事等において、ビルの周囲に多数の建枠や板材等をそれぞれジョイント部品にて連結して仮設足場を組み上げている。この仮設足場を設置するためには、多数の建枠や板材等を必要とする上、搬入及び組上げ作業を行うために多くの時間と手間を要している。また、工事の内容により適正な足場の高さは異なるので、この仮設足場の組替え作業が必要となる場合も多い。さらに、この仮設足場を撤去する際にも、解体及び搬出作業を行うために多くの時間と手間を要している。
【０００３】
また、既設のビルの改造や修繕工事等においては、地表に据え付けられている設備を移動させることは難しく、仮設足場の設置時の作業スペースや設置スペースそのものが狭かったりすることが多いという問題がある。
【０００４】
さらに、上記工事においては、床や地面に直接置きたくない機器や資材等を置く台が必要になることがある他、細かい手作業や打合せを行うための作業台が必要になることもある。こうした物置台や作業台は、一時的に使用されるものであるが、前述のように、工事現場でのスペースには制約があることが多く、速やかに設置及び撤去することができるものが望まれている。
【０００５】
設置及び撤去の負担を低減するためのものとして、伸縮する足場が提案されている（特許文献１参照）。この足場は、横方向に伸縮するもので、横方向に広げることで足場が構築され、足場板をバラバラにして窄めることで収納することができるものである。
【先行技術文献】
【特許文献】
【０００６】
【特許文献１】特開２００２−１４７０１５号公報
【発明の概要】
【発明が解決しようとする課題】
【０００７】
しかしながら、上記の伸縮する足場は、撤去する際に設置時より小さくすることができるが、窄めてもコンパクトな形状になるものではなく、持ち運びすることは困難である。また、設置された状態で足場の上部に多数の筋交い等の部材が設けられた状態となるが、前述のように、工事現場でのスペースは狭いことが多く設置場所が制約されるという問題点がある。
【０００８】
そこで、本発明は、かかる実情に鑑みてなされたもので、速やかに設置及び撤去することができると共に、余分な設置スペースを必要としない折畳み式作業台を提供することを課題とする。
【課題を解決するための手段】
【０００９】
本発明に係る折畳み式作業台は、上記課題を解決するためになされたものであり、２つ以上に折畳み可能な天板と、該天板の両端部に設けられて伸縮可能な支脚と、前記天板及び前記支脚を連結する筋交いとを備える折畳み式作業台であって、前記支脚は、最も収縮した際の長さが前記天板が折り畳まれた際の長さより短くなると共に、前記天板に沿うように折り畳まれることを特徴とするものである。
【００１０】
上記構成の折畳み式作業台によれば、全体が略長方形の一体形状に折り畳まれるので持ち運びが容易であり、また、天板の上部に部材を設けずに、一定の範囲で（折り畳まれて納められる長さから、天板の折畳み長さを超える長さまで）天板の高さを調整することができる。
【００１１】
また、本発明に係る折畳み式作業台は、前記支脚は、両側一対の側枠部材と、該両側枠部材の上部間に横架される横架部材とで門型に形成されて、上下複数段に配置される門型ユニット同士を入れ子式に嵌合することによって構成されることが好ましい。
【００１２】
上記構成の折畳み式作業台によれば、各門型ユニット同士の間隔を、広げた状態と狭めた状態の何れにするかを任意に設定することができるので、支脚の長さを多段階に調整することができる。
【発明の効果】
【００１３】
以上のように、本発明に係る折畳み式作業台によれば、速やかに設置及び撤去することができると共に、余分なスペースを必要とせず設置することができるという優れた効果を奏し得る。
【図面の簡単な説明】
【００１４】
【図１】本実施形態に係る伸縮足場が設置される時の全体を示す図であって、（ａ）は平面図を示し、（ｂ）は正面図を示し、（ｃ）は側面図を示す。
【図２】同実施形態に係る伸縮足場が撤去される時の状態を示す図であって、（ａ）は正面図を示し、（ｂ）は側面図を示し、（ｃ）は折り畳まれた際の平面図を示し、（ｄ）は折り畳まれた際の側面図を示す。
【図３】同実施形態に係る伸縮足場の支脚が伸びた状態を示す図であって、（ａ）は正面図を示し、（ｂ）は側面図を示す。
【図４】同実施形態に係る伸縮足場の支脚が縮んだ状態を示す図であって、（ａ）は正面図を示し、（ｂ）は側面図を示す。
【図５】同実施形態に係る伸縮足場の支脚が伸びた状態を示す断面図である。
【発明を実施するための形態】
【００１５】
以下、本発明に係る折畳み式作業台の一実施形態である伸縮足場について図を参照しつつ説明する。図１は、本実施形態に係る伸縮足場１が設置される時の全体を示す図、図２は、本実施形態に係る伸縮足場１が撤去される時の図である。
【００１６】
伸縮足場１は、人が作業する際に上る２つに折畳み可能な天板２と、この天板２の両端部に設けられて伸縮可能な支脚３と、天板２及び支脚３を連結する筋交い４とを備える。
【００１７】
天板２は、エポキシ樹脂系強化プラスチック、ポリエステル樹脂系強化プラスチック，アルミニウム合金製等の略長方形状の２つの板部材が中央部５で蝶番６により連結されているもので、それぞれの板部材には、折り畳まれた際に把持されるための取手７が設けられている。天板２の側面部８（人が足場にして作業する際の前方及び後方の部分）は、人が乗った際のたわみ防止のために板厚が大きくなっており、さらに、側面部８と直交する方向にも複数の補強材９が取り付けられている。また、天板２の中央部５及び両側の端部１０も、連結部を有するので板厚が大きくなっている。
【００１８】
天板２の両端部に設けられている伸縮可能な支脚３は、概略門の形状を成している門型ユニット１１，…を上下複数段に配置することによって構成される。この門型ユニット１１は、アルミニウム合金製であり、両側一対の部材とこの両部材の上部間に横架される横架部材１２とで形成されるものである。最上部の門型ユニット１１には取付部材１３が設けられており、この取付部材１３と天板２の端部１０とが蝶番１４により連結されている。最上部以外の門型ユニット１１には、それぞれ収納式の踏板１５が設けられている。また、最下部の門型ユニット１１の底部にはロック機能付のキャスター１６が設けられている。なお、図１は、支脚３が最も伸張した状態を示している。
【００１９】
伸縮足場１が設置される時には、図１に示すように、アルミニウム合金製の長板形状の筋交い４が天板２及び支脚３を連結するように取り付けられる。この筋交い４の両端部が、天板２の側面部８と、支脚３における上記門型ユニット１１の横架部材１２とにそれぞれネジ等で取り付けられる。ここで、天板２の側面部８の取り付け部には、後述する門型ユニット１１同士の間隔を変えた各設定（支脚３における取付高さの変化）に対応することができるように長孔が設けられている。
【００２０】
伸縮足場１が撤去される時には、図２（ａ），（ｂ）に示すように、折り畳まれる。まず、筋交い４が天板２及び支脚３を連結する状態から外され、支脚３が縮められ、筋交い４は縮められた支脚３の内側に沿うように納められる。そして、支脚３は、取付部材１３の蝶番１４を中心として矢印Ａ１，Ａ２の方向に回動され、天板２に沿うように納められる。支脚３が納められた後、天板２は、中央部５の蝶番６を中心として矢印Ｂ１，Ｂ２の方向に回動され、２つに折り畳まれる。伸縮足場１は、折り畳まれた後には、図２（ｃ），（ｄ）に示すように、全体が略長方形の一体形状となり、取手７を把持して持ち運びすることが容易となる。
【００２１】
次に、伸縮する支脚３の機構について説明する。図３は、支脚３を構成する上下複数段に配置された門型ユニット１１同士の間隔が広くなった状態を示す図、図４は、前記門型ユニット１１同士の間隔が狭くなった状態を示す図である。
【００２２】
門型ユニット１１は、前述のように、両側一対の側枠部材１７，１７とこの両部材の上部間に横架される横架部材１２とで形成されるものである。図３、図４に示す門型ユニット１１は、何れも支脚３の最上部のものではなく、それぞれの門型ユニット１１には、踏板取付部材１８，１８を介して収納式の踏板１５が設けられている。本実施形態においては、側枠部材１７は円筒形状で、中央部付近を境界として上部の径が下部の径より大きくなっており、各門型ユニット１１の側枠部材１７同士が入れ子式に嵌合される。横架部材１２は、横方向を長手方向とする略直方体形状で、両端部が側枠部材１７，１７に嵌合固定されている。
【００２３】
踏板取付部材１８は、横架部材１２の上部において側枠部材１７に嵌合固定されている。本実施形態においては、踏板取付部材１８の上部は、側枠部材１７の最上部よりさらに上方に位置するようになっている。踏板１５は、横方向を長手方向とする一定の厚みを有する略長方形状で、上面１９には滑止め加工が施され、両端部に踏板用軸２０，２０を有している。踏板１５の側面部分（長方形の長辺に相当する部分）の一方の断面は半円形状となっており、踏板１５が踏板取付部材１８，１８に軸着された状態で、踏板用軸２０，２０の回りに回動可能である。踏板１５が回動して当り面２１の部分（踏板用軸２０と離れている方の側面部分）が下ろされた場合、図３に示すように、下面が横架部材１２の上面に当接するようになっている。また、図４に示すように、踏板１５を回動させて、当り面２１を上方に向けて固定させることもできるようになっている。
【００２４】
本実施形態に係る伸縮足場１の支脚３は以上の構成からなる。次に、本実施形態に係る伸縮足場１の使用状態について説明する。
【００２５】
前述のように、各門型ユニット１１の側枠部材１７同士は入れ子式に嵌合されており、図３に示すように、各門型ユニット１１同士の間隔を広げることにより、支脚３を長くすることができ、図４に示すように、各門型ユニット１１同士の間隔を狭めることにより、支脚３を短くすることができる。ここで、門型ユニット１１同士の間隔を広げた状態で保持するためのロック手段が設けられており、横架部材１２に設けられた操作片２２を動かすことによってロック状態の設定・解除を行うことができる。図３に示すように、操作片２２，２２を矢印Ｃ１，Ｃ２の方向に動かすことによってロック状態の設定を行うことができ、図４に示すように、操作片２２，２２を矢印Ｄ１，Ｄ２の方向に動かすことによってロック状態の解除を行うことができる。
【００２６】
図５は、門型ユニット１１同士の間隔が広くなった状態の拡大断面図（図３（ａ）のＸ−Ｘ線断面図）である。門型ユニット１１同士の間隔を広くしてロック状態に設定した場合、操作片２２に取り付けられたストッパーピン２３が、側枠部材１７の挿通口２４より突出して、上方の門型ユニット１１の側枠部材１７の下端部と接する所に位置するようになる。したがって、間隔を狭める方向の力が加わっても、門型ユニット１１同士の間隔が変化することはない。なお、ストッパーピン２３は、横架部材１２におけるピンガイド２５と開口部２６とをスライドするようになっており、この動作によりピンの位置が決められる。
【００２７】
一方、操作片２２，２２を矢印Ｄ１，Ｄ２の方向に動かすことによって、ストッパーピン２３が側枠部材１７の挿通口２４より突出しない状態となる。このようにロックが解除された場合、間隔を狭める方向の力を加えると、門型ユニット１１同士の間隔を狭めることができる。本実施形態では、踏板１５の当り面２１を上方に向けて固定させ、上方の門型ユニット１１の横架部材１２の下面とこの踏板１５の当り面２１とを当接させることにより、間隔が狭められた状態でさらに狭める方向の力が加えられた際にも、門型ユニット１１同士の間隔を一定値に保つことができる。なお、この場合、上方の門型ユニット１１の側枠部材１７の下端部が、下方の門型ユニット１１の側枠部材１７における上部と下部との境界部分に接近するが、下方の側枠部材１７の下部（径が小さい部分）の上面と接することはない。
【００２８】
全ての門型ユニット１１，…の間隔が広げられ、支脚３が最も伸張した場合には、天板２が折り畳まれた際の長さより長くなる。この場合、全ての門型ユニット１１，…の踏板１５，…を下げて、地面と足場との間で昇り降りする際に使用することができる。
【００２９】
各門型ユニット１１，…の間隔を、広げた状態と狭めた状態の何れにするかを任意に設定することができるので、支脚３の長さを多段階に調整することができる。なお、門型ユニット１１同士の間隔を狭めた状態にする際には、前述のように、踏板１５の当り面２１を上方に向けて固定させるようにする。
【００３０】
全ての門型ユニット１１，…の間隔が狭められ、支脚３が最も収縮した場合には、前述の通り、天板２に沿うように納められる長さとなる。また、全ての踏板１５，…の当り面２１，…を上方に向けて固定させるので、筋交い４を縮められた支脚３の内側に沿うように納めることができる。
【００３１】
以上のように、本実施形態に係る伸縮足場１によれば、天板２や支脚３等の主要部材が樹脂製やアルミニウム合金製であって軽く、全体が略長方形の一体形状に折り畳まれるので持ち運びが容易であり、速やかに設置及び撤去することができる。また、支脚３の底部にロック機能付のキャスター１６が設けられているので、設置後も移動が容易である。
【００３２】
また、一定の範囲で（折り畳まれて納められる長さから、天板２の折畳み長さを超える長さまで）伸縮可能な支脚３により天板２の高さを調整するので、天板２の上部に部材が設けられることはなく、余分な設置スペースを必要としない。また、支脚３の長さを多段階に調整することができるので、小刻みな調整が可能であり、天板２を最適な高さに設定することができる。なお、収納式の踏板１５を備えているので、別途梯子や脚立等を設置する必要がない。
【００３３】
なお、本発明は、上記実施形態に限定されるものではなく、本発明の要旨を逸脱しない範囲内において種々変更を加え得ることは勿論である。
【００３４】
例えば、上記実施形態においては、側枠部材１７は円筒形状であったが、中空の角柱形状であってもよい。
【００３５】
また、上記実施形態においては、側枠部材１７は中央部付近を境界として上部の径が下部の径より大きくなっているものであったが、上部と下部の径を同一とし、門型ユニット毎に径を異なるものとして、入れ子式に嵌合させるようにしてもよい。
【００３６】
また、上記実施形態においては、門型ユニット１１同士の間隔を狭める場合、踏板１５の当り面２１を上方に向けて固定させ、上方の門型ユニット１１の横架部材１２の下面とこの踏板１５の当り面２１とを当接させるようにしたが、上方の門型ユニット１１の側枠部材１７に孔を設け、間隔が狭められた際にストッパーピン２３を通してロックするようにしてもよい。
【００３７】
また、上記実施形態においては、収納式の踏板１５を備えるようにしていたが、門型ユニット１１の横架部材１２の上面を広く且つ滑止め加工を施したものにして、踏板１５の代替としてもよい。
【００３８】
また、上記実施形態においては、設置状態でキャスター１６が機能するようにしていたが、折畳み状態でもキャスターが機能するようにしてもよい。
【００３９】
また、上記実施形態は足場としての使用を想定したものであったが、複数のものをフック等で横方向に連結させて、作業台・物置台や簡易ベッドとして使用できるようにしてもよい。さらに、支脚３を最も伸ばした状態にして、シートを被せることにより、簡易倉庫や屋外作業時の仮休憩所として使用できるようにしてもよい。
【符号の説明】
【００４０】
１…伸縮足場、２…天板、３…支脚、４…筋交い、５…中央部、６…蝶番、７…取手、８…側面部、９…補強材、１０…端部、１１…門型ユニット、１２…横架部材、１３…取付部材、１４…蝶番、１５…踏板、１６…キャスター、１７…側枠部材、１８…踏板取付部材、１９…上面、２０…踏板用軸、２１…当り面、２２…操作片、２３…ストッパーピン、２４…挿通口、２５…ピンガイド、２６…開口部
【図１】
2010222847.tif 000003
【図２】
2010222847.tif 000004
【図３】
2010222847.tif 000005
【図４】
2010222847.tif 000006
【図５】
2010222847.tif 000007